(57)【要約】【課題】  本発明は効率良く水質を浄化するとともに、パイプの劣化を防止することができ、水道管路の圧力損失を伴うことなく、しかも広い範囲の流速域で使用することができる水道管等のパイプを得るにある。【解決手段】水道管や給水管等のパイプ本体と、このパイプ本体の内側面に形成された、遠赤外線効果やマイナスイオン効果を有するトルマリン鉱石や花崗岩等の粉末や炭粒粉等の混合物を混合した混合層とで水道管等のパイプを構成している。【選択図】  図１
2005195169.tif 000002
【特許請求の範囲】
【請求項１】
水道管や給水管等のパイプ本体と、このパイプ本体の内側面に形成された、遠赤外線効果やマイナスイオン効果を有するトルマリン鉱石や花崗岩等の粉末や炭粒粉等の混合物を混合した混合層とからなることを特徴とする水道管等のパイプ。
【請求項２】
前記混合層は、遠赤外線効果やマイナスイオン効果を有するトルマリン鉱石や花崗岩等の粉末や炭粒粉等の混合物を混合したモルタル層および樹脂層あることを特徴とする請求項１項に記載の水道管等のパイプ。
【請求項３】
前記混合層は、遠赤外線効果やマイナスイオン効果を有するトルマリン鉱石や花崗岩等の粉末や炭粒粉等の混合物を混合したモルタル層であることを特徴とする請求項１項に記載の水道管等のパイプ。
【請求項４】
前記混合層は、遠赤外線効果やマイナスイオン効果を有するトルマリン鉱石や花崗岩等の粉末や炭粒粉等の混合物を混合した樹脂層であることを特徴とする請求項１項に記載の水道管等のパイプ。
【請求項５】
水道管や給水管等のパイプ本体と、このパイプ本体の成型時に混合する、遠赤外線効果やマイナスイオン効果を有するトルマリン鉱石や花崗岩等の粉末や炭粒粉等の混合物とからなることを特徴とする水道管等のパイプ
【発明の詳細な説明】
【技術分野】
【０００１】  本発明は水質浄化ができる水道管や給水管等のパイプに関する。
【背景技術】
【０００２】  従来の水道管や給水管等のパイプは、通常用いられる水道管で、水質浄化のための工夫がされておらず、水質汚染に対し、塩素の量を増やしたり、消毒殺菌に重点を置いた対策のため、残留塩素の問題、すなわち塩素から発ガン性物質であるトリハロメタンが生成される等の社会問題に発展している。
また、後付け処理として、使用者が浄水器や浄水装置を取り付けたり、スーパー等で安全な水を購入したりしている。【０００３】  したがって、従来の水道管や給水管等のパイプは、水質浄化のための工夫がされていないので、使用者サイドで、多大なコストがかかるとともに、浄水器や浄水装置の取り付け作業が困難であるという欠点があった。
【特許文献１】  特開平１０−３１４７５１
【発明の開示】
【発明が解決しようとする課題】
【０００４】  本発明は以上のような従来の欠点に鑑み、効率良く水質を浄化するとともに、パイプの劣化を防止することができ、水道管路の圧力損失を伴うことなく、しかも広い範囲の流速域で使用することができる水道管等のパイプを提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は、水道管や給水管等のパイプ本体と、このパイプ本体の内側面に形成された、遠赤外線効果やマイナスイオン効果を有するトルマリン鉱石や花崗岩等の粉末や炭粒粉等の混合物を混合した混合層とで水道管等のパイプを構成している。
【発明の効果】
【０００７】  以下の説明から明らかなように、本発明にあっては次に列挙する効果が得られる。【０００８】（１）水道管や給水管等のパイプ本体と、このパイプ本体の内側面に形成された、遠赤外線効果やマイナスイオン効果を有するトルマリン鉱石や花崗岩等の粉末や炭粒粉等の混合物を混合した混合層とで構成されているので、効率良くパイプ内を流れる水を活性化できる。
したがって、各家庭で安全な水を、どの場所の蛇口をひねっても、いつでもどこでも供給することができる。【０００９】（２）前記（１）によって、パイプ本体の内壁には混合層が形成されているため、赤錆等の発生を容易に防止することができる。【００１０】（３）前記（１）によって、安価にかつ簡単に製造できる。【００１１】（４）前記（１）によって、従来と同様に設置し使用することがきるので、圧力損失が極めて少なく、広い範囲の流速域で使用することができる。【００１２】（５）請求項２〜５も前記（１）〜（４）と同様の効果が得られる。
【発明を実施するための最良の形態】
【００１３】  以下、図面に示す実施するための最良の形態により、本発明を詳細に説明する。
【実施例１】
【００１４】  図１ないし図３に示す本発明の第１の実施するための最良の第１の形態において、１は本発明の水道管や給水管等のパイプで、この水道管や給水管等のパイプ１は、水道管や給水管、排水管等に使用される鉄鋼材や金属材等で成形されたパイプ本体２と、このパイプ本体２の内側面に形成された、遠赤外線効果やマイナスイオン効果を有するトルマリン鉱石や花崗岩等の粉末や炭粒粉等の混合物３を混合したモルタル層４および該混合物３を混合した樹脂層５とからなる混合層６とで構成されている。【００１５】  前記混合物３のトルマリン鉱石は、水に接触すると電気分解を起こすことによって、水は弱アルカリ化（約ｐＨ８）する。また、電気分解の際に発生した水酸イオンは、周囲の水分子と結合してマイナスイオン（界面活性物質）となる。また、４〜１４μｍの放射線（遠赤外線）の放出により水の分子を細分化する。【００１６】  上記構成の水道管等のパイプ１では、従来と同様に設置され、パイプ内に水道水が流れると、水道水によってパイプ１が物理的に摩擦され、帯電作用を生じる。帯電した電荷は、水道水に触れることにより放電し、水の電気分解を行う。また、水流の変化によって、パイプ１に圧力変動が生じる。この圧力変動は、混合層６にピエゾ効果を起こさせ、帯電させる。帯電した電荷は、同様に放電して水の電気分解を行う。【００１７】  水の分子（Ｈ２Ｏ）は水素イオン（Ｈ＋）と水酸イオン（ＯＨ−）に分離し、水分中の水酸イオン（ＯＨ−）が増加する事により、アルカリ化する。しかし、微弱電流であるため、水分は弱アルカリのｐＨ８に近づく。【００１８】  また、水酸イオン（ＯＨ−）は、水の分子と結合してヒドロキシルイオン（Ｈ３Ｏ２）という界面活性物質となり、このヒドロキシルイオン（Ｈ３Ｏ２）が単分子膜を作り、これによって界面活性効果を生じる。ヒドロキシルイオン（Ｈ３Ｏ２）は、人間の体内に入った場合に、電気抵抗の低い部分に作用し、体液を弱アルカリ性に調整したり、或いは新陳代謝を活発にする。また、界面活性化した水道水は、浸透性や洗浄力が向上するため、料理や洗濯に最適である。【００１９】  なお、前記パイプ１を使用する時は、水道本管、支管、各家庭引き込み用細管を問わず、水道施設事業者が従来と同様の施行方法で施行するだけでよい。
｛発明を実施するための異なる形態｝【００２０】  次に、図４ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２１】  図４および図５に示す本発明を実施するための第２の形態において、前記本発明を実施するための最良の第１の形態と主に異なる点は、遠赤外線効果やマイナスイオン効果を有するトルマリン鉱石や花崗岩等の粉末や炭粒粉等の混合物３を混合したモルタル層４で構成される混合層６Ａを用いた点で、このように構成した水道管等のパイプ１Ａにしても、前記本発明を実施するための最良の第１の形態と同様な作用効果が得られる。
【実施例３】
【００２２】  図６および図７に示す本発明を実施するための第３の形態において、前記本発明を実施するための最良の第１の形態と主に異なる点は、遠赤外線効果やマイナスイオン効果を有するトルマリン鉱石や花崗岩等の粉末や炭粒粉等の混合物３を混合した樹脂層５で構成される混合層６Ｂを用いた点で、このように形成した水道管等のパイプ１Ｂにしても、前記本発明を実施するための最良の第１の形態と同様な作用効果が得られる。
【実施例４】
【００２３】  図８および図９に示す本発明を実施するための第４の形態において、前記本発明を実施するための最良の第１の形態、第２の形態および第３の形態と主に異なる点は、前記混合物３を混合した塩化ビニール樹脂等の合成樹脂材で成形されたパイプ本体２Ａを用いた点で、このように形成した水道管等のパイプ１Ｃにしても、前記本発明を実施するための最良の第１の形態、第２の形態および第３の形態と同様な作用効果が得られる。
【実施例５】
【００２４】  図１０および図１１に示す本発明を実施するための第５の形態において、前記本発明を実施するための第４の形態と主に異なる点は、混合層６、６Ａ、６Ｂを用いない点で、このように構成した水道管等のパイプ１Ｄにしても、前記本発明を実施するための第４の形態と同様な作用効果が得られる。
前記本発明を実施するための第２の形態と同様な作用効果が得られる。【００２５】  なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００２６】  本発明は水道管や給水管等のパイプを製造、使用する産業等で利用される。
【図面の簡単な説明】
【００２７】
【図１】本発明を実施するための最良の第１の形態の正面図。
【図２】図１の２−２線に沿う断面図。
【図３】図１の３−３線に沿う断面図。
【図４】本発明を実施するための第２の形態の正面図。
【図５】図４の５−５線に沿う断面図。
【図６】本発明を実施するための第３の形態の正面図。
【図７】図６の７−７線に沿う断面図。
【図８】本発明を実施するための第４の形態の正面図。
【図９】図８の９−９線に沿う断面図。
【図１０】本発明を実施するための第５の形態の正面図。
【図１１】図１０の１１−１１線に沿う断面図。
【符号の説明】
【００２８】１、１Ａ〜１Ｄ：水道管等のパイプ、    ２、２Ａ：パイプ本体、
３：混合物、                          ４：モルタル層、
５：樹脂層、                          ６、６Ａ、６Ｂ：混合層。
【図１】
2005195169.tif 000003
【図２】
2005195169.tif 000004
【図３】
2005195169.tif 000005
【図４】
2005195169.tif 000006
【図５】
2005195169.tif 000007
【図６】
2005195169.tif 000008
【図７】
2005195169.tif 000009
【図８】
2005195169.tif 000010
【図９】
2005195169.tif 000011
【図１０】
2005195169.tif 000012
【図１１】
2005195169.tif 000013